(57)【要約】【課題】部材の外周面に表示された情報を部材の軸方向から視認可能であり、装置を軸方向から見ながら選択要素を切替可能とする。【解決手段】回転切替装置は、外周面に所定の情報が表示された筒状の第１の部材と、第１の部材に対して相対回転可能な第２の部材と、第１の部材及び第２の部材の相対位置によって選択対象が切り替えられる複数の選択要素と、第１の部材の外周面の周囲に配置され、第１の部材の軸方向に対して交差する面により形成され、第１の部材の外周面に表示された情報を鏡面反射させて第１の部材の軸方向から情報を視認可能にする鏡面部と、選択される選択要素を指示する指示部と、を備える。【選択図】図２０
2019028471.tif 000002
【特許請求の範囲】
【請求項１】
外周面に所定の情報が表示された筒状の第１の部材と、
前記第１の部材に対して相対回転可能な第２の部材と、
前記第１の部材及び前記第２の部材の相対位置によって選択対象が切り替えられる複数の選択要素と、
前記第１の部材の外周面の周囲に配置され、前記第１の部材の軸方向に対して交差する面により形成され、前記第１の部材の外周面に表示された前記情報を鏡面反射させて前記第１の部材の軸方向から前記情報を視認可能にする鏡面部と、
選択される前記選択要素を指示する指示部と、
を備えた、回転切替装置。
【請求項２】
前記第１の部材の前記情報が、それぞれの前記選択要素を識別するための情報である、請求項１に記載の回転切替装置。
【請求項３】
透明素材により形成され、前記第１の部材と前記鏡面部との間に配置され、少なくとも前記第１の部材と相対回転可能な筒状の第３の部材を備える、請求項１に記載の回転切替装置。
【請求項４】
前記第１の部材の外周面の前記情報が、前記第３の部材に表示される情報と重畳して、前記第１の部材の軸方向から視認される、請求項３に記載の回転切替装置。
【請求項５】
透明素材により形成され、前記第１の部材と前記鏡面部との間に配置され、前記第１の部材の軸方向に沿って位置調整可能な第４の部材を備える、請求項１に記載の回転切替装置。
【請求項６】
前記第１の部材の外周面の前記情報が、前記第４の部材に表示される情報と重畳して、前記第１の部材の軸方向から視認される、請求項５に記載の回転切替装置。
【請求項７】
前記鏡面部のさらに外方に配置される回転操作部を備え、前記回転操作部を回転させることにより、前記第１の部材又は前記第２の部材が回転する、請求項１に記載の回転切替装置。
【請求項８】
前記鏡面部が、錘面により形成される、請求項１に記載の回転切替装置。
【請求項９】
透明素材により形成され、前記第１の部材と前記鏡面部との間に配置され、前記第１の部材が配置される軸方向孔を有するプリズム部を備える、請求項１に記載の回転切替装置。
【請求項１０】
前記複数の選択要素が、交換可能である、請求項１に記載の回転切替装置。
【請求項１１】
本体部と、前記本体部に設けられ、両端が開口し、軸心を中心とする円周上に配置された複数のエア流路と、前記エア流路の内面の少なくとも一部に保持された香料と、を備え、前記第１の部材とともに軸回転可能な香料カートリッジが前記第１の部材に保持され、
前記選択要素が、前記複数のエア流路である、請求項１に記載の回転切替装置。
【請求項１２】
前記第２の部材は、送風装置から送風されるエアの供給口を有し、
前記第１の部材及び前記第２の部材の相対回転により、前記供給口と連通する前記エア流路が切り替えられる、請求項１１に記載の回転切替装置。
【請求項１３】
透明素材により形成され、前記第１の部材と前記鏡面部との間に配置され、少なくとも前記第１の部材と相対回転可能な筒状の第３の部材を備え、
前記第１の部材は、前記複数のエア流路の両端の開口のうち、前記供給口に連通する開口の他端側の開口にそれぞれ連通する複数の孔を有し、
前記第３の部材は、前記指示部として、前記供給口に連通するエア流路が連通可能な香り放出口を有する、請求項１２に記載の回転切替装置。
【発明の詳細な説明】
【技術分野】
【０００１】
本開示は、回転切替装置に関する。
【背景技術】
【０００２】
従来、回転操作によって複数の選択要素の中から所望の選択要素を選択可能にする回転切替装置が様々な分野で用いられている。回転切替装置としては、例えば、車両のワイパの間欠動作時の間隔を切り替えるための回動スイッチや、自転車の変速段を切り替えるためにハンドル部分に設けられた回動操作装置等が挙げられる（例えば、特許文献１及び２を参照）。
【０００３】
特許文献１及び２に例示した従来の回転切替装置は、操作者が、回転操作部分の周面側から装置を見ながら切り替え操作を行うものである。この回転切替装置は、選択され得る選択要素が装置の周面に表示されており、操作者は、どの位置まで回転させれば自身が望む選択要素を選択できるかを把握しながら操作することができる。また、特許文献１及び２に記載された回転切替装置は、選択要素が規則的に並べられている。このため、操作者は、所望の選択状態となるまで、一定方向に順次回転操作を行うことで、所望の選択要素を選択することができる。
【先行技術文献】
【特許文献】
【０００４】
【特許文献１】特開平９−２２１０号公報
【特許文献２】特開平７−２３２６８７号公報
【発明の概要】
【発明が解決しようとする課題】
【０００５】
しかしながら、上記特許文献１及び２に開示された回転切替装置は、回転操作部分の軸方向から装置を見ながら操作するような場合には、選択され得る選択要素を把握しながら操作することができない。特に、選択要素が不規則に並べられていたり、他の選択要素に変更され得るような場合には、操作者は、もはや、どの位置でどのような選択要素を選択し得るのかを把握することができない。
【０００６】
そこで、本開示では、部材の外周面に表示された情報を部材の軸方向から視認可能であり、装置を軸方向から見ながら選択要素を切替可能な、新規かつ改良された回転切替装置を提供する。
【課題を解決するための手段】
【０００７】
本開示によれば、外周面に所定の情報が表示された筒状の第１の部材と、第１の部材に対して相対回転可能な第２の部材と、第１の部材及び第２の部材の相対位置によって選択対象が切り替えられる複数の選択要素と、第１の部材の外周面の周囲に配置され、第１の部材の軸方向に対して交差する面により形成され、第１の部材の外周面に表示された情報を鏡面反射させて第１の部材の軸方向から情報を視認可能にする鏡面部と、選択される選択要素を指示する指示部と、を備えた、回転切替装置が提供される。
【発明の効果】
【０００８】
以上説明したように本開示によれば、部材の外周面に表示された情報を部材の軸方向から視認可能であり、装置を軸方向から見ながら選択要素を切り替えることができる。
なお、上記の効果は必ずしも限定的なものではなく、上記の効果とともに、又は上記の効果に代えて、本明細書に示されたいずれかの効果、または本明細書から把握され得る他の効果が奏されてもよい。
【図面の簡単な説明】
【０００９】
【図１】本開示の第１の実施の形態に係る回転切替装置としての芳香装置を示す斜視図である。
【図２】同実施形態に係る芳香装置の分解斜視図である。
【図３】同実施形態に係る芳香装置の一部を示す軸方向断面図である。
【図４】同実施形態に係る芳香装置の第３の部材を軸方向から見た図である。
【図５】同実施形態に係る芳香装置の第３の部材の軸方向断面図である。
【図６】同実施形態に係る芳香装置の第１の部材を軸方向から見た図である。
【図７】同実施形態に係る芳香装置の第１の部材の軸方向断面図である。
【図８】同実施形態に係る芳香装置の保持部を軸方向から見た図である。
【図９】同実施形態に係る芳香装置の保持部の軸方向断面図である。
【図１０】同実施形態に係る芳香装置の香料カートリッジを軸方向から見た図である。
【図１１】同実施形態に係る芳香装置の香料カートリッジの軸方向断面図である。
【図１２】同実施形態に係る芳香装置の回転操作部を軸方向から見た図である。
【図１３】同実施形態に係る芳香装置の回転操作部の軸方向断面図である。
【図１４】同実施形態に係る芳香装置のプリズム部を軸方向から見た図である。
【図１５】同実施形態に係る芳香装置のプリズム部の軸方向断面図である。
【図１６】同実施形態に係る芳香装置の第２の部材を軸方向から見た図である。
【図１７】同実施形態に係る芳香装置の第２の部材の軸方向断面図である。
【図１８】芳香装置のシステム構成の一例を示すブロック図である。
【図１９】芳香装置のシステム構成の他の例を示すブロック図である。
【図２０】本開示の第２の実施の形態に係る回転切替装置としての芳香装置を示す説明図である。
【図２１】同実施形態に係る芳香装置による情報の見え方を示す説明図である。
【図２２】本開示の第３の実施の形態に係る芳香装置の一部を示す斜視図である。
【図２３】同実施形態に係る回転切替装置としての芳香装置の一部を示す軸方向断面図である。
【図２４】同実施形態に係る芳香装置の一部を半体で示した分解斜視図である。
【図２５】同実施形態に係る芳香装置のカートリッジアセンブリの分解斜視図である。
【図２６】香料カートリッジを保持部に固定した様子を示す説明図である。
【図２７】保持部に同期して香料カートリッジが回転する様子を示す説明図である。
【図２８】回転操作部を後方側から見た図である。
【図２９】カートリッジアセンブリが装着された回転操作部を後方側から見た図である。
【図３０】ベース部に支持されたカートリッジアセンブリを示す斜視図である。
【図３１】回転操作部を回転させたときの動作を示す説明図である。
【図３２】回転操作部を回転させたときのカートリッジアセンブリの動作を示す説明図である。
【図３３】同実施形態に係る芳香装置のカートリッジアセンブリの脱着機構を示す側面図である。
【図３４】脱着機構の動作を説明するための芳香装置の軸方向断面図である。
【図３５】脱着機構の動作を示す説明図である。
【図３６】脱着機構の動作を説明するための芳香装置の軸方向断面図である。
【図３７】脱着機構の動作を示す説明図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
なお、説明は以下の順序で行うものとする。
１．第１の実施の形態
１−１．回転切替装置の構成例
１−２．まとめ
２．第２の実施の形態
３．第３の実施の形態
【００１２】
＜＜１．第１の実施の形態＞＞
＜１−１．回転切替装置の構成例＞
（１−１−１．全体構成）
図１〜図１７を参照して、本開示の実施の形態に係る回転切替装置の一例として、芳香装置１について説明する。図１は、芳香装置１を示す斜視図であり、図２は、芳香装置１の分解斜視図であり、図３は、芳香装置１の一部を示す軸方向断面図である。図４及び図５は、カバー１００の説明図であり、図６及び図７は、カートリッジケース３００の説明図であり、図８及び図９は、保持部４００の説明図である。図１０及び図１１は、香料カートリッジ２００の説明図であり、図１２及び図１３は、回転操作部６００の説明図である。図１４及び図１５は、プリズム部５００の説明図であり、図１６及び図１７は、ベース部７００の説明図である。
【００１３】
以下の説明において、カバー１００が配置される方向を前方側といい、ベース部７００が配置された方向を後方側という。図４、図６、図８、図１０、図１２、図１４、図１６は、それぞれの部材を前方側から見た図であり、図５、図７、図９、図１１、図１３、図１５、図１７は、それぞれの部材の軸方向断面図である。図４、図６、図８、図１０、図１２、図１４、図１６には、それぞれ図５、図７、図９、図１１、図１３、図１５、図１７が示す断面の位置がＡ〜Ｇで示されている。
【００１４】
本実施形態に係る芳香装置１は、回転切替装置の一態様であり、カバー１００と、香料カートリッジ２００と、カートリッジケース３００と、プリズム部５００と、回転操作部６００と、ベース部７００とを備える。このうち、カートリッジケース３００が本開示の第１の部材に相当し、ベース部７００が本開示の第２の部材に相当する。また、カバー１００が本開示の第３の部材に相当する。かかる芳香装置１は、香料カートリッジ２００に設けられた複数の選択要素としてのエア流路２１１，２１３，２１５，２１７，２１９から選択される所望のエア流路に空気を流し、それぞれのエア流路２１１，２１３，２１５，２１７，２１９の内周面に保持された香料を気化させつつ放出させる装置である。
【００１５】
かかる芳香装置１は、例えば、比較的広範囲の空間内に香りを拡散させる装置として用いることができる。また、芳香装置１は、従来の芳香装置とは異なり、限られた範囲に香りを放出する装置として用いることもできる。例えば、ユーザが、自らの顔の近くで１回あるいは複数回香りを放出させ、気分をリラックスさせるような使い方が可能である。この場合、香りを広範囲に拡散させることがないため、周囲の人に香りを感知させにくくすることができる。
【００１６】
かかる芳香装置１では、香料カートリッジ２００のエア流路２１１，２１３，２１５，２１７，２１９に、図示しないエアポンプにより供給される空気を流すことにより、液体の香料が気化し、空気とともにエア流路２１１，２１３，２１５，２１７，２１９から放出される。本実施形態に係る芳香装置１では、エア流路２１１，２１３，２１５，２１７，２１９の内径が比較的小さくされ、エア流路２１１，２１３，２１５，２１７，２１９に空気を流さない状態では香料が外部に放出されにくくなっている。
【００１７】
（１−１−２．香料カートリッジ）
香料カートリッジ２００は、本体部２０２と、軸方向孔２３０と、複数のエア流路２１１，２１３，２１５，２１７，２１９とを有する。本体部２０２は、円筒状の外形を有する。本体部２０２には、軸心を中心とする軸方向孔２３０が設けられている。軸方向孔２３０は、カバー１００及びベース部７００の装着時のガイドとして利用され得る。なお、香料カートリッジ２００の外形は円筒状に限られない。例えば、香料カートリッジ２００の外形は、円柱、直方体、立方体、その他の適宜の形状とすることができる。
【００１８】
エア流路２１１，２１３，２１５，２１７，２１９は、本体部２０２に、それぞれ軸方向に沿って形成されている。それぞれのエア流路２１１，２１３，２１５，２１７，２１９の内面の少なくとも一部には、例えば、精油、あるいは精油をエタノールで希釈した液体の香料が付着して保持される。エア流路２１１，２１３，２１５，２１７，２１９は、本体部２０２の軸心を中心とする円周上に等間隔で配置されている。これにより、香料カートリッジ２００を一定の回転角度で軸回転させることにより、空気を流すエア流路２１１，２１３，２１５，２１７，２１９の切り替えが可能になっている。なお、エア流路２１１，２１３，２１５，２１７，２１９の数は、５個に限られない。
【００１９】
香料カートリッジ２００の構成材料としては、例えば、アクリル樹脂、ウレタン樹脂、ＡＢＳ樹脂、ポリエーテルエーテルケトン（ＰＥＥＫ）樹脂、ポリアセタール（ＰＯＭ）樹脂、シリコン樹脂、フッ素樹脂、シクロオレフィンポリマー樹脂、ポリイミド樹脂等の高分子樹脂や、ステンレス、アルミニウム等の金属、石英等の無機結晶、又はガラスのうちの一種又は複数の材料を用いることができる。ただし、香料カートリッジ２００の構成材料は上記の例に限られない。なお、香料カートリッジ２００は、例えば３Ｄプリンタを用いて製造することができ、香料カートリッジ２００の構成材料として、３Ｄプリンタに適した材料を選択してもよい。
【００２０】
香料カートリッジ２００は、本体部２０２の外周面に係止溝２４０を有する。かかる係止溝２４０は、カートリッジケース３００の内周面に設けられた係止突部３４０とともに、カートリッジケース３００と香料カートリッジ２００との位置決めに用いられる。また、係止溝２４０と係止突部３４０とが嵌まり合うことにより、カートリッジケース３００と香料カートリッジ２００との相対回転が不可能になって、カートリッジケース３００及び香料カートリッジ２００を一体として回転させることができる。
【００２１】
エア流路２１１，２１３，２１５，２１７，２１９の内径は、例えば、１０〜３，０００μｍとすることができる。特に、内径が数十〜数百μｍの流路は、「マイクロ流路」とも呼ばれる。このような内径を有するエア流路２１１，２１３，２１５，２１７，２１９は、その内面に液体の香料を付着させて保持させることで、少量の香料を安定的に保持することができる。したがって、使用時に、香料を都度滴下する必要がない。また、香料カートリッジ２００が、比較的小さい内径のエア流路２１１，２１３，２１５，２１７，２１９を有することにより、出口開口部が小さくなって、香りを放出する際の拡散の流束を狭小化することができる。したがって、例えば、ユーザが個人的に香りを楽しむ等、限られた範囲に香りを放出させることができる。
【００２２】
また、比較的小さい内径のエア流路２１１，２１３，２１５，２１７，２１９であれば、エア流路２１１，２１３，２１５，２１７，２１９の体積に対する表面積の割合を高く確保することができ、少量の香料で、高濃度の香料を気化させて空気とともに放出させることができる。さらに、比較的小さい内径のエア流路２１１，２１３，２１５，２１７，２１９であれば、複数のエア流路２１１，２１３，２１５，２１７，２１９が形成される場合であっても、香料カートリッジ２００の外形を小さくすることができ、香料カートリッジ２００の持ち運び、ひいては、芳香装置１の持ち運びを容易にすることができる。
【００２３】
エア流路２１１，２１３，２１５，２１７，２１９は、本体部２０２内に直線状に設けられてもよいし、曲線状に設けられてもよい。あるいは、エア流路２１１，２１３，２１５，２１７，２１９が、部分的に直線状又は曲線状の部分を含んでいてもよい。エア流路２１１，２１３，２１５，２１７，２１９を曲線状にすることにより、本体部２０２内におけるエア流路２１１，２１３，２１５，２１７，２１９の長さを長くすることができ、保持させる香料の量を増やすことができる。
【００２４】
エア流路２１１，２１３，２１５，２１７，２１９の出口開口部の向きは、本体部２０２の軸方向に平行であってもよいし、その他の任意の角度であってもよい。また、エア流路２１１，２１３，２１５，２１７，２１９の断面形状は、その内面に液体の香料を付着させて保持することができ、エア流路２１１，２１３，２１５，２１７，２１９に空気を流すことができる形態であれば、特に限定されない。エア流路２１１，２１３，２１５，２１７，２１９の断面形状は、例えば、円形、楕円形、四角形、長方形、その他の適宜の形状とすることができる。
【００２５】
エア流路２１１，２１３，２１５，２１７，２１９の入口開口部及び出口開口部のうちの少なくとも一方が、開口端に向かって拡径するテーパ形状を有してもよい。出口開口部がテーパ形状であれば、エア流路２１１，２１３，２１５，２１７，２１９から放出される香料が拡散しやすくなる。また、入口開口部がテーパ形状であれば、少量の液体の香料をエア流路２１１，２１３，２１５，２１７，２１９に注入しやすくなって、入口開口部の端部の周りに香料が付着して残ることを防ぐことができる。
【００２６】
また、エア流路２１１，２１３，２１５，２１７，２１９は、流路内の表面を増加させる表面増加部を備えてもよい。エア流路２１１，２１３，２１５，２１７，２１９が表面増加部を備えることにより、液体の香料が付着する面積が増加し、保持される香料の総量を増やすことができる。したがって、１つのエア流路２１１，２１３，２１５，２１７，２１９に空気を流して香りを放出させることができる総時間を延ばすことができる。
【００２７】
例えば、表面増加部は、エア流路２１１，２１３，２１５，２１７，２１９の軸線に直交する断面に沿って形成された複数の十字状の構成部分が、十字の交差部において軸方向に連結されたものであってもよい。比較的小径のエア流路２１１，２１３，２１５，２１７，２１９であっても、例えば、３Ｄプリンタを用いて香料カートリッジ２００を製造することにより、かかる表面増加部をエア流路２１１，２１３，２１５，２１７，２１９の内部に形成することができる。表面増加部は、エア流路２１１，２１３，２１５，２１７，２１９の軸心に対して回転対称となるように配置されてもよい。また、表面増加部は、エア流路２１１，２１３，２１５，２１７，２１９の軸方向に並進対称となるように配置されてもよい。さらに、表面増加部は、任意の軸に対して鏡映対称となるように配置されてもよい。
【００２８】
エア流路２１１，２１３，２１５，２１７，２１９内に形成される表面増加部は、種々の形態であってよい。例えば、エア流路２１１，２１３，２１５，２１７，２１９の軸線に直交する断面に沿って形成され、４本の直線が交差する複数の構成部分が、交差部において軸方向に連結された表面増加部であってもよい。また、エア流路２１１，２１３，２１５，２１７，２１９の軸線に直交する断面に沿って形成された複数の十字状の構成部分を、当該断面上で、例えば１つおきに４５°ずつ回転させた状態で、軸方向に連結した表面増加部であってもよい。
【００２９】
これらの表面増加部は、いずれも任意の軸間角度及び任意の長さの単位辺を有する格子状に形成され得る。すなわち、表面増加部は、エア流路２１１，２１３，２１５，２１７，２１９の軸心から径方向に延びる一の単位辺と、当該一の単位辺を所定の角度（９０°又は４５°）回転させた他の単位辺と、エア流路２１１，２１３，２１５，２１７，２１９の内面とにより形成される単位格子が複数組み合わせられて構成され得る。したがって、エア流路２１１，２１３，２１５，２１７，２１９内において、均等な密度で香料を保持させることができる。
【００３０】
これらの表面増加部は、流束を妨げないように、空気が通過する空間を維持しつつ、エア流路２１１，２１３，２１５，２１７，２１９の内面の表面積を増加させることができる。したがって、液体の香料が表面に付着し、その濡れ性や表面張力、界面における化学的な相互作用によって、重力や空気の流れに逆らって、エア流路２１１，２１３，２１５，２１７，２１９の内部に保持される香料の量を増加させることができる。
【００３１】
なお、表面増加部は、必ずしも回転対称、並進対称、鏡映対称であることを要しない。また、表面増加部は、単位格子の組み合わせにより構成されることを要しない。表面増加部は、空気の流れを妨げることなく形成できるものであれば、任意の形態を取ることができる。
【００３２】
また、芳香装置１を、個人で香りを楽しむ装置として利用する場合、放出される香りが広い範囲に拡散しないように、放出される香りの直進性を向上させてもよい。例えば、エア流路２１１，２１３，２１５，２１７，２１９が、その内周面に螺旋溝を備えてもよい。エア流路２１１，２１３，２１５，２１７，２１９が螺旋溝を有することにより、ジャイロ効果によって、エア流路２１１，２１３，２１５，２１７，２１９を流れて放出される空気の直進性を向上させることができる。あるいは、エア流路２１１，２１３，２１５，２１７，２１９の出口開口部に、開口端に向けて縮径するテーパ部を設けてもよい。出口開口部が、このようなテーパ部を備えることにより、放出される空気の流速が高められて、直進性を向上させることができる。
【００３３】
（１−１−３．カートリッジケース（第１の部材））
第１の部材としてのカートリッジケース３００は、内部に、香料カートリッジ２００を保持する。カートリッジケース３００は、円筒状の外形を有する。カートリッジケース３００の軸方向両端のうち、後方側の端部は開口している。カートリッジケース３００は、前方側の端面に、軸心を中心とする円形の開口部３３０を有する。また、カートリッジケース３００は、開口部３３０の周囲に、香料カートリッジ２００のエア流路２１１，２１３，２１５，２１７，２１９とそれぞれ連通する孔３１１，３１３，３１５，３１７，３１９を有する。
【００３４】
カートリッジケース３００の内周面には軸方向に沿って延びる係止突部３４０が設けられている。かかる係止突部３４０は、香料カートリッジ２００がカートリッジケース３００に挿入された際に、香料カートリッジ２００の外周面に設けられた係止溝２４０内に配置される。これにより、香料カートリッジ２００とカートリッジケース３００とが位置決めされ、エア流路２１１，２１３，２１５，２１７，２１９と孔３１１，３１３，３１５，３１７，３１９とが連通する。また、カートリッジケース３００は、後方側の端部に、複数のツメ部３４１を有する。ツメ部３４１は、カートリッジケース３００の後方側の端部の位置を軸方向に異ならせることによって、等間隔で形成される。ツメ部３４１の数は、香料カートリッジ２００のエア流路２１１，２１３，２１５，２１７，２１９の数に一致していてもよい。
【００３５】
カートリッジケース３００の外周面には、所定の情報が表示される。かかる情報は、選択要素としてのエア流路２１１，２１３，１５，２１７，２１９を識別するために利用される。情報は、例えば、文字、図柄、配色、パターン等のうちの少なくとも１種類が描画されたものであってもよい。芳香装置１のユーザは、かかる情報によって、少なくともそれぞれのエア流路２１１，２１３，２１５，２１７，２１９の位置を識別することができる。
【００３６】
また、それぞれのエア流路２１１，２１３，２１５，２１７，２１９に対応する位置に、それぞれのエア流路２１１，２１３，２１５，２１７，２１９に保持された香りの種類が文字で記載されていてもよい。あるいは、それぞれのエア流路２１１，２１３，２１５，２１７，２１９に保持された香りの種類が、図柄で描かれていてもよい。さらには、それぞれのエア流路２１１，２１３，２１５，２１７，２１９に対応する位置に合わせて、異なる配色やパターンが表示されていてもよい。これらの情報は鏡面部６２２で反射されて、軸方向からユーザに視認されるために、文字や図形を表示する場合には、反転表示されていてもよい。
【００３７】
また、鏡面部６２２が錘状部６２０により形成されていることから、カートリッジケース３００の外周面と鏡面部６２２との距離は、軸方向の位置によって異なる。カートリッジケース３００の軸方向から見た場合に、カートリッジケース３００の外周面と鏡面部６２２との距離が大きいほど、表示されている情報は拡大されて視認される。したがって、文字や図形等を表示する場合には、視認される文字や図形の大きさを考慮して、大きさを決定してもよい。なお、カートリッジケース３００の外周面に表示される情報は、上記の例に限られない。
【００３８】
カートリッジケース３００の構成材料は特に限定されない。例えば、カートリッジケース３００の構成材料は、金属や樹脂、木材等であってもよい。カートリッジケース３００は、例えば３Ｄプリンタを用いて製造することができ、カートリッジケース３００の構成材料として、３Ｄプリンタに適した材料を選択してもよい。
【００３９】
（１−１−４．保持部）
保持部４００は、カートリッジケース３００の後方側を保持する。保持部４００は、円筒状の外形を有する。保持部４００の軸方向両端のうち、前方側の端部は開口している。保持部４００は、後方側の端面に、軸心を中心とする円形の開口部４３０を有する。また、保持部４００は、開口部４３０の周囲に、香料カートリッジ２００のエア流路２１１，２１３，２１５，２１７，２１９とそれぞれ連通する孔４１１，４１３，４１５，４１７，４１９を有する。
【００４０】
保持部４００の前方側の開口にはカートリッジケース３００の後端が挿入される。保持部４００は、内周面に、カートリッジケース３００のツメ部３４１が配置される複数の受容凹部４４１を有する。受容凹部４４１の数は、ツメ部３４１の数に対応しており、香料カートリッジ２００のエア流路２１１，２１３，２１５，２１７，２１９の数に一致している。これにより、香料カートリッジ２００を保持したカートリッジケース３００を任意の回転位相で保持部４００に保持させることにより、複数のエア流路２１１，２１３，２１５，２１７，２１９が保持部４００の孔４１１，４１３，４１５，４１７，４１９に連通する。
【００４１】
保持部４００の内部において、香料カートリッジ２００の後方側の端面には、緩衝部材２６が配置される。緩衝部材２６は、軸心を中心とする円形の開口部２７を有する。また、緩衝部材２６は、開口部２７の周囲に、香料カートリッジ２００のエア流路２１１，２１３，２１５，２１７，２１９とそれぞれ連通する複数の孔を有する。緩衝部材２６と香料カートリッジ２００又は保持部４００とを位置決めするための位置決め機構を有してもよいし、緩衝部材２６を位置合わせした状態で香料カートリッジ２００又は保持部４００に貼付してもよい。
【００４２】
保持部４００の構成材料は特に限定されない。例えば、保持部４００の構成材料は、金属や樹脂、木材等であってもよい。保持部４００は、例えば３Ｄプリンタを用いて製造することができ、保持部４００の構成材料として、３Ｄプリンタに適した材料を選択してもよい。
【００４３】
（１−１−５．カバー（第３の部材））
カートリッジケース３００の外側には、さらに第３の部材としてのカバー１００が装着される。カバー１００は、円筒状の外形を有する。カバー１００の軸方向両端のうち、後方側の端部は開口している。カバー１００は、前方側の端面に、香料カートリッジ２００の複数のエア流路２１１，２１３，２１５，２１７，２１９のうちいずれか１つと連通し得る香り放出口１１２を有する。香料カートリッジ２００のいずれかのエア流路２１１，２１３，２１５，２１７，２１９を通過し、気化した香料の成分を含む空気が、当該香り放出口１１２を介して外部に放出される。香り放出口１１２の内径は特に限定されないが、香料カートリッジ２００のエア流路２１１，２１３，２１５，２１７，２１９を流れる空気の流れを妨げないためには、少なくともエア流路２１１，２１３，２１５，２１７，２１９の内径以上であってもよい。
【００４４】
かかる香り放出口１１２は、選択されるエア流路２１１，２１３，２１５，２１７，２１９を指示する指示部として機能する。すなわち、香り放出口１１２はカバー１００の前方側の端面に形成されており、ユーザは、軸方向の前方側から芳香装置１を見たときに、鏡面部６２２により反射されるカートリッジケース３００の外周面に表示された情報と合わせて、空気が供給され得るエア流路２１１，２１３，２１５，２１７，２１９を把握することができる。
【００４５】
カバー１００の内部において、カートリッジケース３００の前方側の端面には、緩衝部材２２が配置される。緩衝部材２２は、軸心を中心とする円形の開口部２３を有する。また、緩衝部材２２は、開口部２３の周囲に、カバー１００の香り放出口１１２と連通する孔２４を有する。緩衝部材２２とカバー１００又はカートリッジケース３００とを位置決めするための位置決め機構を有してもよいし、緩衝部材２２を位置合わせした状態でカバー１００又はカートリッジケース３００に貼付してもよい。
【００４６】
カバー１００は、前方側の端面の内側面から軸方向に延びる固定軸１１４を備える。固定軸１１４は、緩衝部材２２の開口部２３、カートリッジケース３００の開口部３３０及び香料カートリッジ２００の軸方向孔２３０内に挿通される。カバー１００は、固定軸１１４を回転軸として、香料カートリッジ２００を保持するカートリッジケース３００に対して相対回転可能になっており、相対位置によって、香り放出口１１２に連通するエア流路２１１，２１３，２１５，２１７，２１９が切り替えられる。固定軸１１４の先端には、軸心に沿って切断した半体からなる係合部１１４ａが設けられている。かかる係合部１１４ａは、ベース部７００の固定軸７６０と嵌合され、かつ、取付及び取外しが可能な形状であればよく、上記の形状に限られない。
【００４７】
カバー１００は、前方側の基部１１０と後方側の筒部１２０とからなる。このうち、筒部１２０は、透明素材により形成されている。したがって、カートリッジケース３００の外周面が、カバー１００の外部から視認される。基部１１０と筒部１２０との接合方法は特に限定されない。例えば、基部１１０と筒部１２０とが接着剤により接合されてもよいし、嵌め合い構造により固定されていてもよい。
【００４８】
本実施形態では、カバー１００のうち、透明素材により形成された筒部１２０にも所定の情報が表示されていてもよい。筒部１２０が透明素材からなるために、ユーザには、カートリッジケース３００の外周面に表示された情報と、カバー１００の筒部１２０に表示された情報とが重畳して視認され得る。カバー１００は、カートリッジケース３００及び香料カートリッジ２００等と相対回転不可能であり、香料カートリッジ２００の回転に伴って回転する部分でないため、カバー１００の筒部１２０の表示は、エア流路２１１，２１３，２１５，２１７，２１９の識別を可能にするものでなくてもよく、特に限定されない。カートリッジケース３００の軸方向から見た場合に、カバー１００と鏡面部６２２との距離が大きいほど、表示されている情報は拡大されて視認される。したがって、文字や図形等を表示する場合には、視認される文字や図形の大きさを考慮して、大きさを決定してもよい。
【００４９】
カバー１００の構成材料は特に限定されない。例えば、カバー１００の構成材料は、金属や樹脂、木材等であってもよい。カバー１００は、例えば３Ｄプリンタを用いて製造することができ、カバー１００の構成材料として、３Ｄプリンタに適した材料を選択してもよい。
【００５０】
（１−１−６．回転操作部）
回転操作部６００は、カバー１００、カートリッジケース３００、香料カートリッジ２００及び保持部４００のさらに外側に配置される。回転操作部６００は、外周筒部６１０と、錘状部６２０と、内周筒部６３０とを有する。内周筒部６３０は、内周面に係止突部６３６を有する。外周筒部６１０と内周筒部６３０とは、錘状部６２０を介して接続されている。錘状部６２０の大径側端部は、外周筒部６１０の内周面のうちの軸方向の中央部に接続されている。また、錘状部６２０の小径側端部は、内周筒部６３０の前方側端部に接続されている。
【００５１】
回転操作部６００の内周筒部６３０の内部に、カバー１００、カートリッジケース３００、香料カートリッジ２００及び保持部４００が挿入される。このとき、保持部４００の外周面に設けられた複数の係止溝部４４０のいずれかに、内周筒部６３０の係止突部６３６が配置される。これにより、保持部４００、及び、保持部４００に保持されたカートリッジケース３００及び香料カートリッジ２００が、回転操作部６００と一体的に回転可能になっている。また、カバー１００は、カートリッジケース３００、香料カートリッジ２００及び保持部４００とは相対回転可能であることから、回転操作部６００とカバー１００も相対回転可能になる。
【００５２】
なお、本実施形態では、回転操作部６００がプリズム部５００の外周を覆っているが、回転操作部６００は、プリズム部５００を覆っていなくてもよい。回転操作部６００は、芳香装置１の内部に配置された香料カートリッジ２００、カートリッジケース３００及び保持部４００を外部から回転させることができれば、その形状は特に限定されない。この場合、プリズム部５００の外周面がカートリッジケース３００の外面に表示された情報を透過しないように表面加工されていてもよい。あるいは、プリズム部５００の外周面が外部に露出していてもよい。これにより、カートリッジケース３００の外周面に表示された情報を、カートリッジケース３００の軸方向から視認でき、かつ、外周面側からも視認することができる。
【００５３】
回転操作部６００の構成材料は特に限定されない。例えば、回転操作部６００の構成材料は、金属や樹脂、木材等であってもよい。回転操作部６００は、例えば３Ｄプリンタを用いて製造することができ、回転操作部６００の構成材料として、３Ｄプリンタに適した材料を選択してもよい。
【００５４】
（１−１−７．鏡面部）
回転操作部６００の錘状部６２０の前方側の表面は、鏡面加工が施された鏡面部６２２となっている。本実施形態では、鏡面部６２２は、軸方向に対して４５°傾いた傾斜面とされ、カバー１００の筒部１２０に表示された情報や、筒部１２０を透過して視認され得るカートリッジケース３００の外周面に表示された情報を鏡面反射し、軸方向前方側から視認可能にする。回転操作部６００の軸方向において、鏡面部６２２の前方側の端部、すなわち、鏡面部６２２と外周筒部６１０との境界の位置は、カバー１００の基部１１０と筒部１２０との境界の位置にほぼ一致している。したがって、鏡面部６２２を軸方向に見た場合に、カバー１００の基部１１０は視認されにくくなっている。
【００５５】
本実施形態において、鏡面部６２２は、円錘面により形成されているが、鏡面部６２２の形状はかかる例に限られない。例えば、鏡面部６２２は、角錘面により形成されてもよい。さらに、鏡面部６２２は、３６０°連続して形成されていなくてもよく、部分的に形成されていてもよい。また、軸方向に対する鏡面部６２２の傾きは４５°に限られない。少なくとも第１の部材としてのカートリッジケース３００の外周面に表示された情報を軸方向から視認可能にすることができれば、適宜の角度の傾きとされてもよい。
【００５６】
鏡面部６２２は、例えば、錘状部６２０の前方側の表面を平滑にした後、金属又は誘電体等による反射膜を形成することによって設けられる。反射膜は、例えば、クロム、タンタル、アルミニウム等を用いて形成されていてもよい。反射膜の形成は、例えば、蒸着、印刷、塗装、めっき等により行われる。また、錘状部６２０が金属からなる場合、錘状部６２０の表面を平滑に加工して鏡面としてもよい。
【００５７】
なお、鏡面部６２２は、回転操作部６００と一体になっていなくてもよく、別部材として備えられてもよい。すなわち、鏡面部６２２は、少なくとも、所定の情報が表示されたカートリッジケース３００の外周面の周囲に配置され、カートリッジケース３００の軸方向に対して交差する面によって形成されていれば、その他の構成は特に限定されない。
【００５８】
（１−１−８．プリズム部）
プリズム部５００は、鏡面部６２２より前方側において、外周筒部６１０の内部に配置される。プリズム部５００は、外周筒部６１０に軽圧入されてもよいし、適宜の手段により接合されてもよい。プリズム部５００は、透明素材からなる本体部５１０と、本体部５１０に設けられた、軸心を中心とする軸方向孔５３０とを有する。軸方向孔５３０は、前方側に向かうにつれて断面積が緩やかに拡大するテーパ形状を有する。これにより、香料カートリッジ２００を装着する際に、カバー１００、カートリッジケース３００及び保持部４００等が前方側から挿入されやすくなる。また、プリズム部５００が樹脂成型される場合には、金型からの抜き取りが容易になる。
【００５９】
プリズム部５００の軸方向孔５３０には、カバー１００、カートリッジケース３００及び香料カートリッジ２００が配置される。プリズム部５００の本体部５１０は、透明素材からなり、鏡面部６２２で鏡面反射されて軸方向から視認され得るカバー１００の筒部１２０に表示された情報や、カートリッジケース３００の外周面に表示された情報の視認を妨げることがない。カバー１００と回転操作部６００との間にプリズム部５００を備えることにより、回転操作部６００内への塵埃等の進入を低減することができる。
【００６０】
プリズム部５００の構成材料は、形成後に透明性を有するものであれば特に限定されない。例えば、ガラスや水晶、透明樹脂等により形成されていてもよい。また、プリズム部５００の軸方向孔５３０は、前方側に向かうにつれて断面積が拡大するテーパ形状に限定されない。プリズム部５００の軸方向孔５３０は、断面積が一定であってもよく、後方側に向かうにつれて断面積が拡大するテーパ形状であってもよい。軸方向孔５３０の断面積が、後方側に向かうにつれて拡大するテーパ形状であれば、芳香装置１の外部（前方側）からの塵埃等の進入をより低減することができる。
【００６１】
（１−１−９．ベース部（第２の部材））
回転操作部６００、カバー１００、香料カートリッジ２００、カートリッジケース３００及び保持部４００等は、第２の部材としてのベース部７００に支持される。ベース部７００は、前方側の面の中央部に、回転操作部６００の内周筒部６３０が挿入される、断面円形の凹部７４０を有する。また、ベース部７００は、前方側の面の外縁部に、回転操作部６００の外周筒部６１０が配置される、環状の段差部７２５を有する。段差部７２５に外周筒部６１０が配置され、凹部７４０に回転操作部６００の内周筒部６３０が配置され、さらに、内周筒部６３０の内側に、保持部４００、香料カートリッジ２００等が配置される。
【００６２】
ベース部７００は、凹部７４０の底面に立設し、前方側に延びる固定軸７６０を有する。固定軸７６０は、保持部４００の開口部４３０及び香料カートリッジ２００の軸方向孔２３０内に挿通される。例えば、固定軸７６０は香料カートリッジ２００の軸方向孔２３０に軽圧入され、これにより、回転操作部６００、カバー１００、香料カートリッジ２００、カートリッジケース３００及び保持部４００等がベース部７００に支持される。
【００６３】
固定軸７６０の先端には、軸心に沿って切断した半体からなる係合部７６０ａが設けられている。固定軸７６０の係合部７６０ａは、香料カートリッジ２００の軸方向孔２３０内において、カバー１００の固定軸１１４の先端の係合部１１４ａに対して、１８０°軸回転した状態で嵌め合わされる。これにより、カバー１００とベース部７００との相対回転が不可能になる。これにより、回転操作部６００、香料カートリッジ２００、カートリッジケース３００及び保持部４００がベース部７００に対して相対回転可能になる。ただし、カバー１００の係合部１１４ａと同様に、係合部７６０ａは、カバー１００の固定軸１１４と嵌合され、かつ、取付及び取外しが可能な形状であればよく、上記の形状に限られない。
【００６４】
また、ベース部７００は、凹部７４０の底面に空気の供給口７５０を有する。ベース部７００は、内部に、図示しないエアポンプ、バッテリ及び回路基板等を備える。エアポンプは送風器の一態様であり、バッテリから供給される電力によって駆動されて、空気の供給口７５０に空気を導入する。エアポンプは、例えば、圧電素子に対して交流電流を供給することによりダイヤフラムを変形させて、空気の吸引及び圧送を行う、ダイヤフラム式のポンプであってもよい。バッテリは、放電のみが行われ交換可能にされた電池でもよいし、充放電可能にされた二次電池であってもよい。エアポンプの駆動のオンオフは、スイッチ操作部７３０を操作することにより行われる。例えば、スイッチ操作部７３０を押すことによって、回路基板のスイッチング素子が電気的に接続され、バッテリからエアポンプへと電力が供給される。これにより、空気の供給口７５０を介して香料カートリッジ２００へと空気が供給される。
【００６５】
例えば、スイッチ操作部７３０の押下を繰り返すごとに、通電のオンオフが切り替わるようになっていてもよく、スイッチ操作部７３０を押下している間、通電がオンの状態で維持されるようになっていてもよい。回路基板上には、芳香装置１の作動状態を示すＬＥＤ（Ｌｉｇｈｔ  Ｅｍｉｔｔｉｎｇ  Ｄｉｏｄｅ）等の光源に例示されるような他の電子部品が実装されていてもよい。また、芳香装置１を、リモートコントローラやスマートホン等により操作可能にするには、回路基板上に通信装置が実装されていてもよい。
【００６６】
なお、香料カートリッジ２００に向けて空気を供給する送風器はエアポンプに限られず、例えば、ファンを回転させる形式の送風器であってもよい。また、香料カートリッジ２００に向けて空気を供給する送風器は、電動式のものでなくてもよく、手動式のものでもよい。空気を供給する手段を手動式のものとした場合、バッテリ、スイッチ操作部７３０及び回路基板が省略されていてもよい。
【００６７】
また、凹部７４０の底面には、位置決め用の突部７７０が設けられている。かかる突部７７０は、回転操作部６００の係止突部６３６が配置される保持部４００の係止溝部４４０に係止される。保持部４００の外周面には、香料カートリッジ２００のエア流路２１１，２１３，２１５，２１７，２１９の数と同数の係止溝部４４０が等間隔で設けられている。突部７７０がいずれかの係止溝部４４０に係止される状態で、いずれかのエア流路２１１，２１３，２１５，２１７，２１９が空気の供給口７５０に連通する。したがって、回転操作部６００を回転させることによって、空気の供給口７５０に連通するエア流路２１１，２１３，２１５，２１７，２１９が切り替えられる。
【００６８】
かかる突部７７０は、ばね等によって前方側に付勢されていてもよい。すなわち、香料カートリッジ２００を回転させている間は、ばねが縮む等により突部７７０が後退し、いずれかの係止溝部４４０が突部７７０の位置に一致したときに、突部７７０が係止溝部４４０側に突き出るようになっていてもよい。これにより、ベース部７００と保持部４００等との距離を変えることなく、保持部４００や回転操作部６００等を回転させることができる。
【００６９】
ベース部７００の構成材料は特に限定されない。例えば、ベース部７００の構成材料は、金属や樹脂、木材等であってもよい。ベース部７００は、例えば３Ｄプリンタを用いて製造することができ、ベース部７００の構成材料として、３Ｄプリンタに適した材料を選択してもよい。
【００７０】
（１−１−１０．システム構成例）
次に、本実施形態に係る芳香装置１のシステム構成の概略を説明する。図１８は、芳香装置１のシステムブロック図の一例を示す。バッテリ８１０は、回路基板８２０及びスイッチング素子８３０を介して、エアポンプ８４０と電気的に接続されている。スイッチ操作部７３０の操作に応じて、バッテリ８１０の電力がエアポンプ８４０に供給される。エアポンプ８４０が駆動され、香料カートリッジ２００のエア流路２１１，２１３，２１５，２１７，２１９に空気が流されると、エア流路２１１，２１３，２１５，２１７，２１９の内面に保持された香料が気化し、空気とともに香りが放出される。また、図１８の例では、回転操作部６００が手動で回転させられ、エアポンプ８４０から供給される空気が導入される香料カートリッジ２００のエア流路２１１，２１３，２１５，２１７，２１９が切り替え可能になっている。
【００７１】
図１９は、他の芳香装置１Ａのシステムブロック図の例を示している。図１９に示す例では、回転操作部６００、カートリッジケース３００又は保持部４００がモータ８５０により回転させられ、エアポンプ８４０から供給される空気が導入される香料カートリッジ２００のエア流路２１１，２１３，２１５，２１７，２１９が切り替え可能になっている。
【００７２】
＜１−２．まとめ＞
以上説明したように、第１の実施の形態に係る芳香装置１は、香料カートリッジ２００を保持し、香料カートリッジ２００と一体的に回転する筒状のカートリッジケース（第１の部材）３００が、空気の供給口７５０を有するベース部（第２の部材）７００に対して軸回転可能に支持される。また、香料カートリッジ２００あるいはカートリッジケース３００と、ベース部７００との相対位置によって、空気の供給口７５０に連通するとともに、香り放出口１１２に連通するエア流路２１１，２１３，２１５，２１７，２１９が切り替えられる。
【００７３】
カートリッジケース３００の外周面には、エア流路２１１，２１３，２１５，２１７，２１９を識別するための情報が表示されている。この情報は、カートリッジケース３００の外周面の周囲に配置された鏡面部６２２によって反射されて、カートリッジケース３００の軸方向から視認可能になっている。したがって、ユーザは、芳香装置１を軸方向から見た場合に、どのエア流路２１１，２１３，２１５，２１７，２１９がどの位置にあるかを一度に知ることができる。
【００７４】
また、芳香装置１を軸方向から見た場合、カバー１００に設けられた、指示部としての香り放出口１１２も視認される。したがって、ユーザは、芳香装置１を軸方向から見ながら回転操作部６００を回転させることにより、所望のエア流路２１１，２１３，２１５，２１７，２１９が香り放出口１１２に連通するように、エア流路２１１，２１３，２１５，２１７，２１９を容易に切り替えることができる。本実施形態の場合、軸方向とは、香りが放出される方向であり、ユーザは、香りを放出させて香りを確認しつつ、エア流路２１１，２１３，２１５，２１７，２１９を切り替えることも可能である。
【００７５】
また、本実施形態に係る芳香装置１は、カバー１００のうち、透明素材により形成された筒部１２０にも情報が表示されている。筒部１２０は透明素材からなるために、ユーザには、カートリッジケース３００の外周面に表示された情報と、カバー１００の筒部１２０に表示された情報とが重畳して視認される。したがって、デザイン性も高められ、ユーザの満足度を高めることができる。
【００７６】
さらに、本実施形態に係る芳香装置１は、両端が開口し、内面の少なくとも一部に香料が保持されたエア流路２１１，２１３，２１５，２１７，２１９を有する香料カートリッジ２００を備えている。かかる香料カートリッジ２００は、比較的小さい内径のエア流路２１１，２１３，２１５，２１７，２１９を有し、少量の香料を安定的に保持することができる。かかる香料カートリッジ２００は、比較的小さい内径のエア流路２１１，２１３，２１５，２１７，２１９を有し、当該エア流路２１１，２１３，２１５，２１７，２１９に空気を流すことによって、香料が気化し、空気とともに放出される。このとき、香りが放出される出口開口部が比較的小さいために、放出される香りの拡散の流束を狭小化することができる。また、かかる香料カートリッジ２００は、エア流路２１１，２１３，２１５，２１７，２１９の体積に対する表面積の割合が高く、少量の香料で、高濃度の香料を気化させることができる。したがって、本実施形態に係る芳香装置１は、例えば個人で香りを楽しむような使い方をする際に、高濃度の香りを狭い範囲に放出させることができる。
【００７７】
また、香料カートリッジ２００は、比較的小さい内径のエア流路２１１，２１３，２１５，２１７，２１９を有するため、香料カートリッジ２００の外形を小さくすることができ、香料カートリッジ２００の持ち運び、あるいは、芳香装置１の持ち運びを容易にすることができる。また、香料カートリッジ２００は、本体部２０２内に形成されたエア流路２１１，２１３，２１５，２１７，２１９に香料を保持させるものであり、使用時に、香料を都度滴下する必要がない。
【００７８】
さらに、本実施形態に係る芳香装置１において、香料カートリッジ２００が交換可能になっていてもよい。これにより、使用場面やユーザの嗜好に合わせて、適宜の香りの香料が保持された香料カートリッジ２００を選択することができる。したがって、異なる種類の香りを楽しんだり、香りの拡散度合いを変更したり等、芳香装置１を様々な場面に応じて使用することができる。この場合に、香料カートリッジ２００と併せて、カートリッジケース３００を交換することにより、エア流路２１１，２１３，２１５，２１７，２１９に保持された香料の種類を視認しながら、所望の香りを容易に選択することができる。
【００７９】
＜＜２．第２の実施の形態＞＞
本開示に係る回転切替装置は、種々の変形、あるいは、応用が可能である。以下、本開示の第２の実施の形態に係る回転切替装置について説明する。
【００８０】
図２０は、第２の実施の形態に係る回転切替装置を示す説明図である。かかる回転切替装置は、第１の実施の形態に係る芳香装置１のカートリッジケース（３００）に相当する第１の筒部材９１０と、カバー（１００）の筒部（１２０）に相当する第２の筒部材９２０と、鏡面部６２２と併せて、さらに第３の筒部材９３０を備えた例である。第３の筒部材９３０は、本開示の第４の部材に相当する。理解を容易にするために、図２０では、カバー（１００）の基部（１１０）、カートリッジケース（３００）の複数の孔（３１１，３１３，３１５，３１７，３１９）、プリズム部（５００）、回転操作部（６００）及びベース部（７００）等の部材に相当する他の部材の図示が省略されている。
【００８１】
第４の部材としての第３の筒部材９３０は、透明素材により形成される筒状の部材である。第３の筒部材９３０は、第２の筒部材９２０の外周面のさらに外側に配置され、軸方向に沿って移動可能になっている。第３の筒部材９３０が透明素材により形成されていることから、鏡面部６２２により反射され得る第１の筒部材９１０の外周面に表示された情報は、第２の筒部材９２０及び第３の筒部材９３０を介して、第１の筒部材９１０の軸方向から視認される。このとき、第１の筒部材９１０の外周面に表示された情報は、第２の筒部材９２０及び第３の筒部材９３０に表示された情報と重畳的にユーザに視認される。
【００８２】
また、第３の筒部材９３０は、軸方向の位置に応じて、鏡面部６２２との距離が可変となっている。第１の筒部材９１０の軸方向から見た場合に、第３の筒部材９３０と鏡面部６２２との距離が大きいほど、表示されている情報は拡大されて視認される。したがって、第３の筒部材９３０の軸方向位置を調節することによって、ユーザへの視認のされ方を変えることができ、デザイン性をさらに向上させることができる。
【００８３】
図２１は、本実施形態に係る回転切替装置を軸方向から見た場合の情報の視認され方について説明するための図である。図２０に示すように、第１の筒部材９１０には、軸方向に三段に分けて、上下左右を反転させて文字が書かれている。また、第２の筒部材９２０は、第１の筒部材９１０の後方側の３分の２の範囲の外周面の外側に配置される。第２の筒部材９２０は、軸方向に移動することはできない。第２の筒部材９２０には、配色表示、あるいは、パターン表示がされている。また、第３の筒部材９３０は、第２の筒部材９２０の後方側の外周面の外側に配置される。第３の筒部材９２０は、第１の筒部材９１０の軸方向の全範囲に亘って位置が調整可能になっている。第３の筒部材９３０には、３６０°周回する二重線が書かれている。
【００８４】
図２１の最も左側の図は、図２０に示すように、第３の筒部材９３０を最も後方側に位置させた場合の見え方を示している。第１の筒部材９１０に三段で書かれた文字のうち、第１の筒部材９１０の前方側に書かれた文字が反射して視認される、径方向外側の文字が最も大きく見えている。反対に、第１の筒部材９１０に三段で書かれた文字のうち、第１の筒部材９１０の後方側に書かれた文字が反射して視認される、径方向内側の文字が最も小さく見えている。また、第２の筒部材９２０に表示されている配色又はパターンは、径方向内側の二段の文字部分に重畳して見えている。さらに、第３の筒部材９３０に書かれた二重線は、径方向の最も内側の文字部分に重畳して見えている。
【００８５】
これに対して、まず、第１の筒部材（第１の部材）９１０を軸回転させると、第１の筒部材９１０に書かれていた文字の位置が回転する。図２１の例では、第１の筒部材９１０を１８０°回転させているため、文字の位置が１８０°移動する。さらに、第３の筒部材９３０の軸方向の位置を第１の筒部材９１０の前方側まで移動させると、第３の筒部材９３０に書かれていた二重線が径方向の最も外側の文字部分に重複して見える。このとき、二重線の間隔は広く見え、線の太さも太く見える。さらに、第２の筒部材９２０を異なる配色又はパターンのものと交換すると、重畳して見える配色又はパターンも変わる。
【００８６】
このように、本実施形態に係る回転切替装置は、ユーザへの情報の見え方も変えることができ、デザイン性が高く、ユーザの満足度を高めることができる。なお、第３の筒部材９３０は、第２の筒部材９２０に取り付けられていてもよいし、鏡面部６２２等の周りの部材に取り付けられていてもよい。また、第３の筒部材９３０は、第１の筒部材９１０と一体的に回転可能になっていてもよいし、第２の筒部材９２０と一体的に回転可能になっていてもよい。また、本実施形態に係る回転切替装置において、第２の筒部材９２０は備えられていなくてもよい。
【００８７】
＜＜３．第３の実施の形態＞＞
次に、本開示の第３の実施の形態に係る回転切替装置としての芳香装置について説明する。本実施形態に係る芳香装置は、第１の実施の形態に係る芳香装置とは、空気を通過させるエア流路を切り替えるための構成が異なっている。以下、本実施形態に係る芳香装置について、主として第１の実施の形態に係る芳香装置と異なる点を説明する。また、以下の説明においては、カートリッジアセンブリの脱着機構の一例を併せて説明する。
【００８８】
（３−１．全体構成）
まず、図２２〜図２４を参照して、本実施形態に係る芳香装置１０００の全体構成を説明する。図２２は、芳香装置１０００の一部を示す斜視図であり、図２３は、芳香装置１０００の一部を示す軸方向断面図である。また、図２４は、芳香装置１０００の一部を示す分解斜視図である。
【００８９】
本実施形態に係る芳香装置１０００は、カバー１１００と、香料カートリッジ１２００と、プリズム部１５００と、回転操作部１６００と、ベース部１７６０と、筐体１７００とを備える。かかる芳香装置１０００は、第１の部材としての香料カートリッジ１２００に設けられた複数の選択要素としての５個のエア流路１２１０から選択される所望のエア流路１２１０に空気を供給し、それぞれのエア流路１２１０の内周面に湿潤状態で保持された香料を気化させつつ芳香を放出させる装置である。具体的に、芳香装置１０００では、香料カートリッジ１２００のエア流路１２１０に、エアポンプ１８４０から供給される空気を流すことにより、香料が気化し、空気とともにエア流路１２１０から放出される。エアポンプ１８４０は、筐体１７００に設けられたスイッチ操作部１７３０を操作することにより駆動される。
【００９０】
本実施形態に係る芳香装置１０００では、カバー１１００、香料カートリッジ１２００、及び保持部１４００によりカートリッジアセンブリ１３００が構成される。かかるカートリッジアセンブリ１３００は、ベース部１７６０により支持される。カートリッジアセンブリ１３００のうち、香料カートリッジ１２００及び保持部１４００は、ベース部１７６０に対して相対回転可能に支持される。一方、カバー１００は、ベース部１７６０に対して相対回転不可能になっている。本実施形態に係る芳香装置１０００においては、香料カートリッジ１２００が本開示の第１の部材に相当し、ベース部１７６０が本開示の第２の部材に相当し、カバー１１００が本開示の第３の部材に相当する。
【００９１】
本実施形態に係る芳香装置１０００では、香料カートリッジ１２００の外周面に、所定の情報が表示される。かかる情報は、選択要素としてのエア流路１２１０を識別するために利用される。情報は、第１の実施の形態あるいは第２の実施の形態で例示された情報であってもよい。
【００９２】
カバー１１００は、円筒状の外形を有し、後方側の端部が開口している。カバー１１００は、内部に、香料カートリッジ１２００を保持する。カバー１１００は、前方側の端面に、香料カートリッジ１２００のエア流路１２１０のいずれか１つと連通し得る香り放出口１１１２を有する。香料カートリッジ１２００のいずれかのエア流路１２１０を通過し、気化した香料の成分を含む空気が、当該香り放出口１１１２を介して外部に放出される。カバー１１００の後方側の端部には、保持部１４００が嵌められている。カバー１１００は透明素材により形成されており、香料カートリッジ１２００の外周面に表示された情報が、カバー１１００の外側から視認され得る。かかるカバー１１００は、後方側の外周面の一部に突起部１１３０を有する。
【００９３】
透明素材により形成されたカバー１１００にも所定の情報が表示されていてもよい。カバー１１００が透明素材からなるために、ユーザには、香料カートリッジ１２００の外周面に表示された情報と、カバー１１００に表示された情報とが重畳して視認され得る。
【００９４】
また、カバー１１００は、前方側の端面の内側面に、軸方向に沿って延びる一対の立設部１１２０を有する。かかる一対の立設部１１２０の間には、受容部１１２１が形成されている。かかる受容部１１２１には、カートリッジアセンブリ１３００の支持軸であるベース部１７６０の軸部１７６１の先端に設けられた回転防止部１７６９が挿入される。回転防止部１７６９の周方向断面形状は非円形状となっており、受容部１１２１の周方向断面形状は、回転防止部１７６９の周方向断面形状と略一致する。これにより、カバー１１００とベース部１７６０との相対回転が防止されている。
【００９５】
保持部１４００は、カバー１１００の後方側の端部に嵌められ、香料カートリッジ１２００の後端側を保持する。保持部１４００とカバー１１００とは、相対回転可能に結合されている。保持部１４００とカバー１１００とが相対回転する際に、香料カートリッジ１２００は保持部１４００と同期して回転する。保持部１４００は、前方側の外周面の一部に、カバー１１００の突起部１１３０と連続し得る突起部１４７０を有する。また、保持部１４００は、外周面に、複数の溝部１４４０を有する。本実施形態に係る芳香装置１０００の例では、６個の溝部１４４０が、軸心の周りに６０°おきに設けられている。６個の溝部１４４０のうちの５個の溝部１４４０の位置は、内部に保持された香料カートリッジ１２００のエア流路１２１０の位置に対応している。つまり、香料カートリッジ１２００に設けられた５個のエア流路１２１０は、軸心の周りに６０°おきに設けられている。
【００９６】
溝部１４４０には、スプリング１８５３により保持部１４００の周囲から溝部１４４０に向けて付勢されたロック部材１８５５が進入可能になっている。かかるスプリング１８５３及びロック部材１８５５は、カバー１１００と同様、保持部１４００に同期して回転することがなく、保持部１４００の回転位置に応じて、いずれかの溝部１４４０にロック部材１８５５が進入し得る。これにより、ユーザは、香料カートリッジ１２００及び保持部１４００を回転する際にクリック感を得ることができる。また、香料カートリッジ１２００及び保持部１４００の所定の回転位置が決定された状態で、位置ずれを防ぐことができる。
【００９７】
また、保持部１４００は、後方側の端面に、軸心を中心とする円形の開口部１４３０を有する。開口部１４３０の周囲には、香料カートリッジ１２００のエア流路１２１０のそれぞれに連通する５個の孔１４１０が設けられている。つまり、５個の孔１４１０は、軸数の周りに６０°おきに設けられている。このため、ベース部１７６０に対して、香料カートリッジ１２００及び保持部１４００を相対的に回転させることによって、エアポンプ１８４０から供給される空気を流すエア流路１２１０を切り替えることができる。
【００９８】
回転操作部１６００は、カートリッジアセンブリ１３００のさらに外周に配置される。回転操作部１６００は、外周筒部１６１０と、錘状部１６２０と、内周筒部１６３０とを有する。外周筒部１６１０と内周筒部１６３０とは、錘状部１６２０を介して接続されている。錘状部６２０の前方側の表面は、鏡面加工が施された鏡面部となっている。内周筒部１６３０は、内周面の一部に軸方向溝１６３５を有する。かかる軸方向溝１６３５には、カートリッジアセンブリ１３００の保持部１４００の外周面に設けられた突起部１４７０が配置される。したがって、回転操作部１６００を回転させることにより、軸方向溝１６３５内の突起部１４７０が回転させられ、保持部１４００及び香料カートリッジ１２００が回転操作部１６００と同期して回転する。
【００９９】
なお、回転操作部１６００を回転させる際に、カバー１１００の外周面に設けられた突起部１１３０は、軸方向溝１６３５に係止されない。上述のとおり、カバー１１００は、ベース部１７６０の軸部１７６１によって回転不可能に接続されているために、回転操作部１６００を回転させる際に、突起部１１３０によって回転操作部１６００の回転が阻害されないようになっている。
【０１００】
プリズム部１５００は、透明素材からなり、錘状部１６２０より前方側において、外周筒部１６１０の内部に配置される。プリズム部１５００は、軸心を中心とする軸方向孔１５３０を有する。かかる軸方向孔１５３０内にはカートリッジアセンブリ１３００が配置される。軸方向孔１５３０の内周面の一部には、回転操作部１６００の内周筒部１６３０の軸方向溝１６３５に連なる軸方向溝１５１０が設けられている。かかる軸方向溝１５１０は、カートリッジアセンブリ１３００を芳香装置１０００に対して脱着する際に、カバー１１００の突起部１１３０及び保持部１４００の突起部１４７０を通過させるガイドとしての機能を有する。プリズム部１５００は、回転操作部１６００に固定され、回転操作部１６００の回転に伴って回転する。プリズム部１５００の軸方向溝１５１０も同様に、回転操作部１６００を回転させる際に、カバー１１００の外周面に設けられた突起部１１３０が係止されないようになっている。
【０１０１】
カートリッジアセンブリ１３００を支持するベース部１７６０は、直接あるいは間接的に筐体１７００に支持された筒部材１８５１の内側に保持されている。かかる筒部材１８５１の前方側の端部に、回転操作部１６００が軸回転可能に装着されている。また、筒部材１８５１には、カートリッジアセンブリ１３００の外周面に向けてロック部材１８５５を付勢するスプリング１８５３の一端側が支持されている。
【０１０２】
ベース部１７６０は、軸方向に前方に向かって延びる軸部１７６１を有する。軸部１７６１は、保持部１４００の開口部１４３０、及び、香料カートリッジ１２００の軸方向孔１２２０に挿入される。軸部１７６１の先端の回転防止部１７６９は、カバー１１００に設けられた受容部１１２１に挿入される。
【０１０３】
また、ベース部１７６０は、エアポンプ１８４０から供給される空気の供給口１７６５を有する。香料カートリッジ１２００及び保持部１４００と、ベース部１７６０とが相対回転することにより、供給口１７６５に連通するエア流路１２１０が切り替えられる。図２に示した例では、ベース部１７６０の供給口１７６５には、エアポンプ１８４０により圧送される空気を導く通路１８３１を有するピストン１８３０の先端が進退可能になっている。
【０１０４】
具体的には、ベース部１７６０は、スプリング１８１５により軸方向前方側に付勢されており、カートリッジアセンブリ１３００の脱着の際にベース部１７６０が軸方向に移動することによって、供給口１７６５内をピストン１８３０が進退動する。供給口１７６５の前方側は、前方に向かって縮径するテーパ形状となっている。この供給口１７６５の出口部分はベース部１７６０に近接させられており、空気の漏れが最小限に抑えられている。
【０１０５】
かかるベース部１７６０は、ユーザがカートリッジアセンブリ１３００の脱着を容易に行えるようにするための脱着機構の一部を構成する。脱着機構については、後で詳しく説明する。
【０１０６】
（３−２．回転切替機構）
次に、図２５〜図３２を参照して、本実施形態に係る芳香装置１０００の回転切替機構について詳細に説明する。
【０１０７】
図２５は、カートリッジアセンブリ１３００の分解斜視図であり、図２６は、香料カートリッジ１２００を保持部４００に固定した様子を示す説明図であり、図２７は、保持部４００に同期して香料カートリッジ１２００が回転する様子を示す説明図である。
【０１０８】
香料カートリッジ１２００は、後端部の外周面の一部に、位置決め用の平坦部１２３０を有する。保持部１４００の内面の一部には、香料カートリッジ１２００の平坦部１２３０が配置される図示しない平坦部が設けられている。このため、香料カートリッジ１２００は、保持部１４００に対して相対回転不可能となっている。一方、カバー１１００の後端部には、保持部１４００の内周面に設けられたツメ部１４６０に係合するツメ部１１１８が設けられている。保持部１４００のツメ部１４６０と、カバー１１００のツメ部１１１８とは、カバー１１００及び保持部１４００を相対回転可能に連結する。したがって、図２６及び図２７に模式的に示したように、保持部１４００の回転に同期して香料カートリッジ１２００も回転する一方、カバー１１００は回転しない。
【０１０９】
図２８は、回転操作部１６００を後方側から見た図であり、図２９は、カートリッジアセンブリ１３００が装着された回転操作部１６００を後方側から見た図である。
【０１１０】
回転操作部１６００の内周筒部１６３０の内周面１６３１の一部には、軸方向溝１６３５が設けられている。香料カートリッジ１２００を内部に収容してカバー１１００及び保持部１４００を連結させたカートリッジアセンブリ１３００のうち、保持部１４００の外周面に設けられた突起部１４７０は、回転操作部１６００の軸方向溝１６３５に係合され、回転操作部１６００と保持部１４００との回転が同期する。上述のとおり、保持部１４００と香料カートリッジ１２００との回転は同期するため、結局、回転操作部１６００を回転させることにより香料カートリッジ１２００を回転させることができる。
【０１１１】
なお、香料カートリッジ１２００と保持部１４００とを位置合わせし、さらに保持部１４００の突起部１４７０とカバー１１００の突起部１１３０とを位置合わせしてカートリッジアセンブリ１３００を組み立てた状態では、香料カートリッジ１２００のすべてのエア流路１２１０が、香り放出口１１１２と連通していない。したがって、香料カートリッジ１２００の搬送時や交換時、あるいは、芳香装置１０００の未使用時においては、エア流路１２１０が外部に開放されず、香料カートリッジ１２００を長持ちさせることができる。
【０１１２】
図３０は、ベース部１７６０にカートリッジアセンブリ１３００が支持された様子を示す斜視図である。回転操作部１６００に固定されたプリズム部１５００の軸方向孔１５３０内にカートリッジアセンブリ１３００を挿入し、ベース部１７６０に支持させたときに、ロック部材１８５５が溝部１４４０の１つに進入している。この状態から、図３１に示すように回転操作部１６００を６０°回転させると、カバー１１００及びベース部１７６０は回転することなく、保持部１４００及び香料カートリッジ１２００は同期して回転する。
【０１１３】
その結果、図３２に示すように、ロック部材１８５５は、保持部１４００の周面上を滑った後、１つ隣の溝部１４４０に進入する。この状態では、１つのエア流路１２１０の後端側開口が、エアポンプ１８４０から供給される空気の供給口１７６５に連通し、先端側開口が、カバー１１００の香り放出口１１１２に連通する。これにより、エアポンプ１８４０を駆動させたときに、空気がエア流路１２１０を通過し、芳香が放出される。
【０１１４】
（３−３．脱着機構）
次に、カートリッジアセンブリ１３００の脱着を容易に行えるようにするための脱着機構について詳細に説明する。本実施形態に係る芳香装置１０００では、ハートカム機構を用いた脱着機構を備えている。
【０１１５】
図３３は、ベース部１７６０に支持されたカートリッジアセンブリ１３００を径方向に見た図である（図２３に断面で示すカートリッジアセンブリ１３００及びベース部１７６０を下方側から見た図に相当）。ハートカム機構は、カム部１７６３と、弾性部材としての係合ピン１８１３と、カム部１７６３を前方側に付勢するスプリング１８１５とを有する。カム部１７６３は、ベース部１７６０の縁部分の一部から後方側に向けて軸方向に沿って立設されている。カム部１７６３は、略直方体の外形を有し、ベース部１７６０の径方向外側を向く面に、カム溝１８１１が設けられている。
【０１１６】
係合ピン１８１３は、略Ｕ字状を有し、一端がカム溝１８１１内に配置されている。係合ピン１８１３の他端は筐体１７００内の適宜の位置に固定されており、係合ピン１８１３の一端が、カム部１７６３に向けて付勢されている。カム溝１８１１は、溝内に複数の段差面を有し、係合ピン１８１３の一端を、第１の位置１８１２ａ又は第２の位置１８１２ｂに位置させることができる。
【０１１７】
図２３及び図３３は、カートリッジアセンブリ１３００を芳香装置１０００に装着した状態を示している。このとき、カム部１７６３はスプリング１８１５により前方側に付勢され、係合ピン１８１３の一端は第１の位置１８１２ａに係止される。
【０１１８】
図３４及び図３５は、カートリッジアセンブリ１３００を芳香装置１０００から取り外す際の脱着機構の動作を示している。かかる場合において、カートリッジアセンブリ１３００は、ユーザによって後方側（図の右側）に押し込まれる。スプリング１８１５は圧縮され、カム部１７６３が右側に移動する。このとき、係合ピン１８１３の一端は、カム溝１８１１の底面の段差により、図３５に示したカム溝１８１１の下側に移動する。この状態から、ユーザがカートリッジアセンブリ１３００の押し込みを開放すると、カム部１７６３は、スプリング１８１５によって前方側（図の左側）に移動させられる。これに伴って、係合ピン１８１３の一端は、カム溝１８１１の底面の段差により、図３５に示したカム溝１８１１の下側の溝内を移動する。
【０１１９】
図３６及び図３７は、カートリッジアセンブリ１３００を芳香装置１０００から取外し可能な状態を示している。カム部１７６３はスプリング１８１５により前方側に付勢され、係合ピン１８１３の一端は第２の位置１８１２ｂに係止される。この状態では、カートリッジアセンブリ１３００の前方側の端部が、回転操作部１６００に固定されたプリズム部１５００から突き出している。したがって、ユーザは、カートリッジアセンブリ１３００の前方側の端部をつまむことができ、カートリッジアセンブリ１３００の取外しが可能になる。
【０１２０】
カートリッジアセンブリ１３００を装着する際に、図３６及び図３７に示す状態からカートリッジアセンブリ１３００が後方側（図の右側）に押し込まれると、カム部１７６３が後方側に移動する。この場合には、係合ピン１８１３の一端は、カム溝１８１１の底面の段差により、図３７に示すカム溝１８１１の上側の溝内を移動する。これにより、図２３及び図３３に示すように、係合ピン１８１３の一端は第１の位置１８１２ａに係止される。
【０１２１】
以上のように、本実施形態に係る芳香装置１０００は、カートリッジアセンブリ１３００の脱着を容易に行えるようにするための脱着機構を備える。したがって、携帯型の芳香装置１０００のように小型の芳香装置１０００であっても、ユーザがカートリッジアセンブリ１３００の交換を容易に行うことができる。
なお、ここまでに説明した点以外の本実施形態に係る芳香装置１０００の構成については、第１の実施の形態又は第２の実施の形態に係る芳香装置と同様に構成することができる。
【０１２２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２３】
例えば、上記の実施の形態では、回転操作部６００を回転させることによりカートリッジケース３００及び香料カートリッジ２００を回転させて、空気が通過するエア流路２１１，２１３，２１５，２１７，２１９を切り替えていたが、本開示はかかる例に限定されない。例えば、ベース部７００の空気の供給口７５０と、保持部４００との間に、流路を有する回転可能な部材を設けて、当該部材を回転させることによって、空気の供給口７５０と連通するエア流路２１１，２１３，２１５，２１７，２１９を切り替えてもよい。あるいは、香料カートリッジ２００のエア流路２１１，２１３，２１５，２１７，２１９の開放及び遮蔽を切り替え可能なマスクやキャップ等を用い、当該マスク等を回転させることによって、開放させるエア流路２１１，２１３，２１５，２１７，２１９を切り替えるようにしてもよい。
【０１２４】
かかる構成例では、流路を有する回転可能な部材や、マスク、キャップの回転に伴って一体的に回転する一方、香料カートリッジ２００とは相対回転可能な部材（第１の部材に相当）が鏡面部６２２内に配置されてもよい。また、かかる構成例では、流路を有する回転可能な部材や、マスク、キャップの回転位置に、選択対象を指示する指示部が備えられてもよい。指示部は、例えば、マーキング表示であってもよい。なお、かかる構成例においては、香料カートリッジ２００あるいはベース部７００が第２の部材に相当する。
【０１２５】
また、上記の実施の形態では、香り放出口１２２が、選択されるエア流路２１１，２１３，２１５，２１７，２１９を指示する指示部として機能していたが、本開示はかかる例に限定されない。指示部は、第１の部材（上記実施形態ではカートリッジケース）の軸方向から視認可能な突起やマーキング表示等、目印になり得るものであれば構わない。
【０１２６】
また、上記の実施の形態では、香料カートリッジ２００を保持し、香料カートリッジ２００と一体的に回転するカートリッジケース３００が第１の部材とされていたが、カートリッジケースを備えずに、香料カートリッジ２００を第１の部材としてもよい。この場合、香料カートリッジ２００の外周面に所定の情報が表示される。
【０１２７】
また、上記の実施の形態では、香料カートリッジ２００に設けられるエア流路２１１，２１３，２１５，２１７，２１９が１つの円の円周上に等間隔で配置されていたが、本開示はかかる例に限られない。例えば、香料カートリッジ２００の軸心を中心とする２以上の同心円上にそれぞれ等間隔で配置された複数のエア流路が備えられてもよい。この場合、空気の供給口７５０と、香料カートリッジ２００との間のいずれかの位置に、空気の供給口７５０から供給される空気の供給先を、香料カートリッジ２００の径方向に切り替え可能な機構を備えていてもよい。その際に、上記の第２の実施の形態の回転切替装置に備えられた第３の筒部材（第４の部材）９３０が、空気の供給先の径方向への切り替えに伴って軸方向に移動してもよい。これにより、回転切替装置を軸方向に見た場合に、第１の筒部材９１０（カートリッジケース３００）の外周面に表示された情報に、第３の筒部材（第４の部材）９３０に表示された情報が重畳表示され、同心円上にそれぞれ配置された複数のエア流路のうち、所望のエア流路を容易に選択することができる。
【０１２８】
また、図示しないものの、芳香装置１は、未使用時に、エア流路２１１，２１３，２１５，２１７，２１９を遮蔽状態で維持できるように、適宜の弁装置、シャッター装置、シール装置、その他の任意の遮蔽装置を備えていてもよい。
【０１２９】
また、上記の実施の形態では、回転切替装置として芳香装置１を例に採って説明したが、本開示の回転切替装置はかかる例に限られない。例えば、選択要素が音楽ファイルであり、回転切替装置が、互いに相対回転可能な第１の部材と第２の部材との相対位置によって再生される音楽が切り替えられる音声再生装置に適用されてもよい。あるいは、選択要素がボールペンの芯であり、回転切替装置が、互いに相対回転可能な第１の部材と第２の部材との相対位置によって、ボールペンの色が切り替えられる筆記用具に適用されてもよい。回転切替装置の適用対象にかかわらず、ユーザは、回転切替装置を軸方向から見ながら選択対象の切替を容易に行うことができる。
【０１３０】
なお、以下のような構成も本開示の技術的範囲に属する。
（１）外周面に所定の情報が表示された筒状の第１の部材と、前記第１の部材に対して相対回転可能な第２の部材と、前記第１の部材及び前記第２の部材の相対位置によって選択対象が切り替えられる複数の選択要素と、前記第１の部材の外周面の周囲に配置され、前記第１の部材の軸方向に対して交差する面により形成され、前記第１の部材の外周面に表示された前記情報を鏡面反射させて前記第１の部材の軸方向から前記情報を視認可能にする鏡面部と、選択される前記選択要素を指示する指示部と、を備えた、回転切替装置。
（２）前記第１の部材の前記情報が、それぞれの前記選択要素を識別するための情報である、前記（１）に記載の回転切替装置。
（３）透明素材により形成され、前記第１の部材と前記鏡面部との間に配置され、少なくとも前記第１の部材と相対回転可能な筒状の第３の部材を備える、前記（１）又は（２）に記載の回転切替装置。
（４）前記第１の部材の外周面の前記情報が、前記第３の部材に表示される情報と重畳して、前記第１の部材の軸方向から視認される、前記（３）に記載の回転切替装置。
（５）透明素材により形成され、前記第１の部材と前記鏡面部との間に配置され、前記第１の部材の軸方向に沿って位置調整可能な第４の部材を備える、前記（１）〜（４）のいずれか１項に記載の回転切替装置。
（６）前記第１の部材の外周面の前記情報が、前記第４の部材に表示される情報と重畳して、前記第１の部材の軸方向から視認される、前記（５）に記載の回転切替装置。
（７）前記鏡面部のさらに外方に配置される回転操作部を備え、前記回転操作部を回転させることにより、前記第１の部材又は前記第２の部材が回転する、前記（１）〜（６）のいずれか１項に記載の回転切替装置。
（８）前記鏡面部が、錘面により形成される、前記（１）〜（７）のいずれか１項に記載の回転切替装置。
（９）透明素材により形成され、前記第１の部材と前記鏡面部との間に配置され、前記第１の部材が配置される軸方向孔を有するプリズム部を備える、前記（１）〜（８）のいずれか１項に記載の回転切替装置。
（１０）前記複数の選択要素が、交換可能である、前記（１）〜（９）のいずれか１項に記載の回転切替装置。
（１１）本体部と、前記本体部に設けられ、両端が開口し、軸心を中心とする円周上に配置された複数のエア流路と、前記エア流路の内面の少なくとも一部に保持された香料と、を備え、前記第１の部材とともに軸回転可能な香料カートリッジが前記第１の部材に保持され、前記選択要素が、前記複数のエア流路である、前記（１）〜（１０）に記載の回転切替装置。
（１２）前記第２の部材は、送風装置から送風されるエアの供給口を有し、前記第１の部材及び前記第２の部材の相対回転により、前記供給口と連通する前記エア流路が切り替えられる、前記（１１）に記載の回転切替装置。
（１３）透明素材により形成され、前記第１の部材と前記鏡面部との間に配置され、少なくとも前記第１の部材と相対回転可能な筒状の第３の部材を備え、前記第１の部材は、前記複数のエア流路の両端の開口のうち、前記供給口に連通する開口の他端側の開口にそれぞれ連通する複数の孔を有し、前記第３の部材は、前記指示部として、前記供給口に連通するエア流路が連通可能な香り放出口を有する、前記（１２）に記載の回転切替装置。
【符号の説明】
【０１３１】
１    芳香装置
１００    カバー（第３の部材）
１１２    香り放出口（指示部）
２００    香料カートリッジ
２１１，２１３，２１５，２１７，２１９    エア流路（選択要素）
３００    カートリッジケース（第１の部材）
４００    保持部
５００    プリズム部
６００    回転操作部
６２０    錘状部
６２２    鏡面部
７００    ベース部（第２の部材）
７５０    空気の供給口
９１０    第１の筒部材
９２０    第２の筒部材
９３０    第３の筒部材
【図１】
2019028471.tif 000003
【図２】
2019028471.tif 000004
【図３】
2019028471.tif 000005
【図４】
2019028471.tif 000006
【図５】
2019028471.tif 000007
【図６】
2019028471.tif 000008
【図７】
2019028471.tif 000009
【図８】
2019028471.tif 000010
【図９】
2019028471.tif 000011
【図１０】
2019028471.tif 000012
【図１１】
2019028471.tif 000013
【図１２】
2019028471.tif 000014
【図１３】
2019028471.tif 000015
【図１４】
2019028471.tif 000016
【図１５】
2019028471.tif 000017
【図１６】
2019028471.tif 000018
【図１７】
2019028471.tif 000019
【図１８】
2019028471.tif 000020
【図１９】
2019028471.tif 000021
【図２０】
2019028471.tif 000022
【図２１】
2019028471.tif 000023
【図２２】
2019028471.tif 000024
【図２３】
2019028471.tif 000025
【図２４】
2019028471.tif 000026
【図２５】
2019028471.tif 000027
【図２６】
2019028471.tif 000028
【図２７】
2019028471.tif 000029
【図２８】
2019028471.tif 000030
【図２９】
2019028471.tif 000031
【図３０】
2019028471.tif 000032
【図３１】
2019028471.tif 000033
【図３２】
2019028471.tif 000034
【図３３】
2019028471.tif 000035
【図３４】
2019028471.tif 000036
【図３５】
2019028471.tif 000037
【図３６】
2019028471.tif 000038
【図３７】
2019028471.tif 000039